(57)【要約】【課題】    医師等の医療関係者が、患者の転院先を探すのに適し、使い勝手に優れた医療関係者用病院検索システムを提供する。【解決手段】    端末１がインターネット２を介してサーバ３に接続された医療関係者用病院検索システムであって、医療条件項目及び一般検索項目を検索対象とする検索手段１１と、検索手段１１により検索される検索結果について、表示項目の設定を可能とする表示設定手段１２と、該表示設定手段１２により設定された項目を、一覧で表示する一覧表示手段１３とを有し、該一覧表示手段１３が、該当項目と非該当項目とを区別して表示する。【選択図】図１
2017194790.tif 000002
【特許請求の範囲】
【請求項１】
端末がインターネットを介してサーバに接続された医療関係者用病院検索システムであって、
医療条件項目及び一般検索項目を検索対象とする検索手段と、
検索手段により検索される検索結果について、表示項目の設定を可能とする表示設定手段と、
該表示設定手段により設定された項目を、一覧で表示する一覧表示手段とを有し、
該一覧表示手段が、検索結果についての該当項目と非該当項目とを区別して表示することを特徴とする、医療関係者用病院検索システム。
【請求項２】
前記請求項１に記載の医療関係者用病院検索システムについて、
一覧表示手段に加え、マップ表示手段を備えることを特徴とする、医療関係者用病院検索システム。
【請求項３】
端末がインターネットを介してサーバに接続された医療関係者用病院検索システムの機能を実現させるプログラムであって、
医療条件項目及び一般検索項目を検索対象とする検索機能と、
該検索機能により検索される検索結果について、表示項目の設定を可能とする表示設定機能と、
該表示設定機能により設定された項目を、一覧で表示する一覧表示機能とを有し、
該一覧表示機能が、該当項目と非該当項目とを区別して表示する機能を実現させることを特徴とする、医療関係者用病院検索プログラム。
【請求項４】
前記請求項３に記載の医療関係者用病院検索プログラムについて、
一覧表示機能に加え、マップ表示機能を有することを特徴とする、医療関係者用病院検索プログラム。
【請求項５】
インターネットを介してサーバに接続された端末から入力された、検索対象としての医療条件項目及び一般検索項目について、
該入力後に検索処理を実行すると共に、
端末を介して設定された表示項目について、
検索結果と共に、該当項目と非該当項目とを区別して一覧で表示することを特徴とする、医療関係者用病院検索方法。
【発明の詳細な説明】
【技術分野】
【０００１】
本発明は医療関係者用病院検索システム、医療関係者用病院検索プログラム及び医療関係者用病院検索方法に関し、特に、総合病院の専門科に属する医師が、初期治療が済んだ患者を、自宅近くの医院に転院させるために有効なものに関する。
【背景技術】
【０００２】
特許文献１には、ユーザーの端末機とサーバがネットワークを介して接続されているネットワークサーバシステムにおける病院検索方法であって、検索時に検索条件としたい検索項目及び検索時における検索項目の検索優先順位がネットワークを介してサーバに入力されるステップと、サーバが、検索項目及び検索優先順位に基づいて、検索条件の組合せを作成するステップと、サーバが、サーバの記憶装置に格納されている病院情報データから、組合せに合致するデータを抽出して表示するステップとを含むことを特徴とする、病院検索手段が開示されている。
【発明の概要】
【発明が解決しようとする課題】
【０００３】
特許文献１に記載のシステムは、通常の病院の検索では必須の検索項目（例えば、地域、診療科等。以下「必須検索項目」という）と可能であれば検索条件としたい項目（例えば、駐車場の有無、診療時間等。以下「選択検索項目」という）とに分かれていることに着目し、必須の検索項目を中心としてグループ化した検索項目の組合せを自動的に作成し、検索しようとする者が一度の検索条件の指定で目的とする病院を抽出することができることを可能にしたものである。
【０００４】
しかしながら、特許文献１に記載のシステムは、患者が病院を選択するのに適したシステムであり、例えば、総合病院の専門科に属する医師が、初期治療を終えた患者の転院先を探すのに適しているとはいえなかった。
すなわち、今後の患者の病状に適した専門性、検査適用性等の医療条件選択項目を重視した上で、患者にとっての利便性となる駅からの距離、駐車場の有無、自宅からの距離等の通院の容易さ等の一般選択項目を総合的に考慮することが可能である勝手に優れたシステムは存在しなかった。
【０００５】
従って、医師等の医療関係者が、患者の転院先を探すのに適し、使い勝手に優れた医療関係者用病院検索システムが望まれていた。
【課題を解決するための手段】
【０００６】
本発明の課題を解決するための手段は、下記のとおりである。
【０００７】
第１に、
端末がインターネットを介してサーバに接続された医療関係者用病院検索システムであって、
医療条件項目及び一般検索項目を検索対象とする検索手段と、
検索手段により検索される検索結果について、表示項目の設定を可能とする表示設定手段と、
該表示設定手段により設定された項目を、一覧で表示する一覧表示手段とを有し、
該一覧表示手段が、検索結果についての該当項目と非該当項目とを区別して表示することを特徴とする、医療関係者用病院検索システム。
ここで、医療条件項目とは、診療科目、検査内容等の医療行為において必要な項目をいう。
また、一般検索項目とは、例えば、最寄駅、住所、診療時間等の病院選択の際に考慮される、医療行為にかかる項目以外の項目をいう。
第２に、
前記第１に記載の医療関係者用病院検索システムについて、
一覧表示手段に加え、マップ表示手段を備えることを特徴とする、医療関係者用病院検索システム。
該マップ表示手段は、検索結果に該当する病院を地図上に表示するものであり、地図における基準位置から一定距離内の病院を表示するものである。
第３に、
端末がインターネットを介してサーバに接続された医療関係者用病院検索システムの機能を実現させるプログラムであって、
医療条件項目及び一般検索項目を検索対象とする検索機能と、
該検索機能により検索される検索結果について、表示項目の設定を可能とする表示設定機能と、
該表示設定機能により設定された項目を、一覧で表示する一覧表示機能とを有し、
該一覧表示機能が、該当項目と非該当項目とを区別して表示する機能を実現させることを特徴とする、医療関係者用病院検索プログラム。
第４に、
前記第３に記載の医療関係者用病院検索プログラムについて、
一覧表示機能に加え、マップ表示機能を有することを特徴とする、医療関係者用病院検索プログラム。
第５に、
インターネットを介してサーバに接続された端末から入力された、検索対象としての医療条件項目及び一般検索項目について、
該入力後に検索処理を実行すると共に、
端末を介して設定された表示項目について、
検索結果と共に、該当項目と非該当項目とを区別して一覧で表示することを特徴とする、医療関係者用病院検索方法。
【発明の効果】
【０００８】
本発明によれば、検索項目の設定が可能であって、該検索項目及び検索結果を示す一覧表を有し、検索項目に対して、該当項目と非該当項目とを区別して表示することが可能なので、特に重視すべき医療条件選択項目である専門性や対応検査についての結果に加え、考慮すべき一般項目である通院容易性等の結果に基づき総合的に判断して転院先を決定することができ、使い勝手に優れている。
【図面の簡単な説明】
【０００９】
【図１】本発明の医療関係者用病院検索システムの説明図である。
【図２】本発明に係る検索条件設定の際の初期画面の説明図である。
【図３】図２の初期画面における都道府県の選択画面の説明図である。
【図４】図３の選択画面から進んだ東京都における行政区の選択画面の説明図である。
【図５】図４の選択画面から進んだ渋谷区における地区の選択画面の説明図である。
【図６】図５の選択画面から進んだ検索条件設定の際の画面の説明図である。
【図７】図６の画面から進んだ診療科目における選択画面の説明図である。
【図８】図７の選択画面から進んだ検索条件設定の際の画面の説明図である。
【図９】図８の画面から進んだ検索後の件数を示す画面の説明図である。
【図１０】図９の画面から進んだ表示項目の設定を示す画面の説明図である。
【図１１】図１０の画面から進んだ診療科目における選択画面の説明図である。
【図１２】図１１の画面から進んだ検査内容における選択画面の説明図である。
【図１３】図１２の画面から進んだ特徴一覧における選択画面の説明図である。
【図１４】図１３の画面から進んだ表示項目の設定を示す画面の説明図である。
【図１５】図１４の画面から進んだ検索結果の一覧を示す画面の説明図である。
【図１６】図１５の画面におけるＭＡＰ表示を選択して進んだＭＡＰを示す画面の説明図である。
【図１７】図１６の画面における一つのマークを選択した画面の説明図である。
【発明を実施するための形態】
【００１０】
以下、本発明を実施するための形態として、総合病院に勤務する医師等の医療関係者が、初期治療を終えた患者の転院先を検索する際に用いる、医療関係者用病院検索システムとそのシステムを実現するための医療関係者用病院検索プログラム及び医療関係者用病院検索方法について、図面を参照しつつ具体的に説明する。
なお、ここでの説明は本発明が実施される一形態であることから、本発明は該当形態に限定されるものではない。
【００１１】
図１に示すように、本発明に係る医療関係者用病院検索システムは、端末１がインターネット２を介してサーバ３に接続されている。
【００１２】
前記端末１は、診察科目や検査内容等の医療行為において必要な項目である医療条件項目及び駅からの時間、住所、診療時間などの患者の利便性を考慮した項目である一般検索項目を検索対象とする検索手段１１を実現するための入力機構、該検索手段１１により検索される検索結果について、表示設定手段１２によって表示項目の設定を可能とするための入力機構、該表示設定手段１２により設定された項目を、一覧表示手段１３によって該当非該当を区別して一覧で表示するためのディスプレイ等の表示機構を有している。
ここで、これらの手段を実現させるためのプログラムは、サーバ３にインストールされている。
【００１３】
前記サーバ３は、図示は省略するがＣＰＵと記憶手段を有し、インターネット２に接続された端末１からアクセス可能で、端末１において所望の画面表示を可能にするものである。
また、該サーバ３は、図示は省略する記録手段に、検索対象となり得る項目及び表示設定の対象となる項目毎に、該当及び非該当を区別して記録するデータベース３１を有している。
該データベース３１としては、図示するようにサーバ３に直接接続されたものを利用できる他に、図示は省略するがサーバ３とは別にインターネット２に接続されたものを利用することもできる。
【００１４】
該サーバ３は、前記端末１からの命令により、端末１の画面に、検索結果を表示設定項目毎に該当非該当を区別して一覧表示するものである。
【００１５】
本発明に係る医療関係者用病院検索システムの画面は、図示は省略するが、まず、端末１からサーバ３へのアクセスを可能とするＵＲＬを入力することで、ログイン画面となり、所定のＩＤとパスワードの入力が求められる。
所定のＩＤとパスワードが入力され、ログインが成功した後は、図２に示す検索条件設定の際の初期画面が表示される。
該初期画面においては、左下に１６２，２４８件の医療機関のデータが入力されていることが示されている。
【００１６】
まず、検索フェーズについて説明する。
図２の画面において、例えば、医者が患者の住所地に基づいて「住所を選ぶ」をクリックすると、図３に示す都道府県の選択画面が表示される。
ここで、「東京都」をクリックすると、図４に示す行政区分の選択画面が表示される。
【００１７】
そして、「渋谷区」をクリックすると、図５に示す地区の選択画面が表示される。
ここで、「宇田川町」を選択してから「地区を決定」をクリックすることで、再び、図６に示す検索条件設定の際の画面が「宇田川町」が入力された状態で表示される。
【００１８】
さらに、医者が患者の病状に合致した「診療科目を選ぶ」を図６に示す画面でクリックすると、図７に示す診療科目の選択画面が表示される。
ここで、例えば、「泌尿器科」及び「リウマチ科」にチェックを入れた後に、「診療科目を選択」をクリックすると、図８に示すように、検索条件設定の際の画面が「泌尿器科  リウマチ科」が入力された状態で表示される。
その後、「この条件で検索」をクリックすると、図９に示すように、左下に７２件と検索結果の件数が表された画面が表示される。
【００１９】
次に、表示項目設定フェーズについて説明する。
図１０に示す画面において、医者が患者の病状や生活パターンを考慮して表示項目を設定するために、「電話」、「所在地」、「最寄駅」をチェックボックスにチェックをすることで選択した後に、「診療科目を選ぶ」をクリックすると、図１１に示す診療科目における選択画面となる。
ここで、例えば、医者が患者の病状に関与すると判断した「泌尿器科」「女性泌尿器科」「リウマチ科」にチェックを入れた後に、「科目を決定」をクリックする。
【００２０】
すると、図１２に示す、検査内容における選択画面が表示されるので、例えば、医者が患者に必要とされることが予測される「ＭＲＩ検査」、「腹部ＣＴ検査」、「ＣＴ検査」、「触診圧痛検査」にチェックを入れた後に、「検査内容を決定する」をクリックする。
さらに、図１３に示すように、医療条件項目及び一般検索項目を含む特徴一覧における選択画面において、医者が患者の生活パターンを考慮し、例えば、「日・祝診療可」「１９時以降診療可」にチェックを入れた後に、「特徴を決定」をクリックすると、図１４に示す画面が表示される。
【００２１】
図１４においては、表示項目の設定の所定の欄について、所定の項目が記入された状態で表示されているので、「この項目を設定する」をクリックすることで、図１５に示す結果一覧が、表示される。
【００２２】
図１５の画面では、電話、所在地、最寄駅の項目欄に加え、診療科目の項目欄において検索条件で設定した「泌尿器科」「リウマチ科」に加え、表示項目の設定で設定した「女性泌尿器科」の項目欄が設けられている。
さらに、検査内容及び特徴についても、各項目欄が設けられている。
いずれの項目欄においても、該当項目には黒丸印が付けられ、非該当項目には何も印が付けられておらず、該当非該当の区別がされている。
【００２３】
図１５の画面において、「ＭＡＰ表示」をクリックすると、図１６に示すようなＭＡＰを示す画面が表れる。
該画面では、検索結果である各病院の位置を地図上に示しており、画面中心からシステムで例えば３ｋｍと初期設定される一定の同心円の範囲内に該当する病院が十字のマークで示されている。
マークをクリックすると、図１７に示すように、病院の情報が表示される。
なお、各病院の情報は、図１５に示す結果一覧において、左端の画像をクリックすることでも、図示は省略するが、表示される。
【００２４】
図示は省略するが、ドラッグ操作をすることでＭＡＰ表示の中心がずれた場合には、新たな画面の中心点を基準として、システムで例えば半径３ｋｍと初期設定される一定の同心円内に該当する病院のマークが表れる。
このように、画面の中心点から一定の範囲内に該当する病院について、ＭＡＰ表示においてマークを表示することで、選択すべき範囲に属する病院が明確になる。
【００２５】
以上の結果に基づくことで、医者は、患者の病状や環境に最も適切であると考えられる転院先を決定することができる。
【符号の説明】
【００２６】
１  端末
１１  検索手段
１２  表示設定手段
１３  一覧表示手段
２  インターネット
３  サーバ
３１  データベース
【先行技術文献】
【特許文献】
【００２７】
【特許文献１】特開２００４−１６４３９８号公報
【図１】
2017194790.tif 000003
【図２】
2017194790.tif 000004
【図３】
2017194790.tif 000005
【図４】
2017194790.tif 000006
【図５】
2017194790.tif 000007
【図６】
2017194790.tif 000008
【図７】
2017194790.tif 000009
【図８】
2017194790.tif 000010
【図９】
2017194790.tif 000011
【図１０】
2017194790.tif 000012
【図１１】
2017194790.tif 000013
【図１２】
2017194790.tif 000014
【図１３】
2017194790.tif 000015
【図１４】
2017194790.tif 000016
【図１５】
2017194790.tif 000017
【図１６】
2017194790.tif 000018
【図１７】
2017194790.tif 000019